(57)【要約】【課題】室内温度が誤って検出されるおそれを減らすことができる空気調和機の提供。【解決手段】室内機１０は、室内温度を検出するための第１室温センサ８９ｂおよび第２室温センサ８９ａと、制御部８４とを備えている。制御部８４は、選択部８３と、取得部８８とを有する。選択部８３は、運転状態に基づいて、第１室温センサ８９ｂおよび第２室温センサ８９ａのいずれかを選択する。取得部８８は、選択部８３によって選択された第１室温センサ８９ｂまたは第２室温センサ８９ａから出力される検出結果を取得する。また、選択部８３は、少なくとも空調運転が実行されているか否かに基づいて、第１室温センサ８９ｂおよび第２室温センサ８９ａのうちのいずれかを選択する。【選択図】図１
2011080642.tif 000002
【特許請求の範囲】
【請求項１】
室内温度を検出するための複数の検出部（８９ａ，８９ｂ）と、
運転状態に基づいて複数の前記検出部のいずれかを選択する選択部（８３）と、前記選択部によって選択された前記検出部から出力される検出結果を取得する取得部（８８）と、を有する制御部（８４）と、
を備え、
前記選択部は、少なくとも空調運転が実行されているか否かに基づいて、複数の前記検出部のうちのいずれかを選択する、
空気調和機（１０）。
【請求項２】
取込口（１８）が形成されているケーシング（１２）と、
前記ケーシングに収納されており、前記取込口から入流してくる空気と熱交換を行う熱交換器（１３）と、
を更に備え、
複数の前記検出部は、前記熱交換器の端部近傍に配置される第１検出部（８９ｂ）を含み、
前記選択部は、前記空調運転が実行されていない場合には、複数の前記検出部から前記第１検出部を選択する、
請求項１に記載の空気調和機。
【請求項３】
前記第１検出部は、前記ケーシングの内側の前記取込口近傍に配置されている、
請求項２に記載の空気調和機。
【請求項４】
前記ケーシングには、前記熱交換器によって熱交換された空気を吹き出すための吹出口（１５）が形成されており、
前記取込口から前記吹出口に向かう空気流を形成可能なファン（１４）を更に備え、
複数の前記検出部は、前記第１検出部とは別であって、前記熱交換器によって熱交換された空気の流れる流路（Ａ２）から離れた位置に配置される第２検出部（８９ａ）を更に含み、
前記選択部は、前記空調運転の実行が開始された場合であって、前記ファンの回転数に関する条件を満たしていると判断した場合には、複数の前記検出部から前記第２検出部を選択する、
請求項２または３に記載の空気調和機。
【請求項５】
前記選択部は、前記条件が満たされているか否かを判断する判断部（８７）を含み、前記判断部によって前記条件が満たされていないと判断された場合には、前記第１検出部を選択する、
請求項４に記載の空気調和機。
【請求項６】
前記判断部は、前記ファンが、所定の回転数以上の回転数で、所定時間継続して回転した場合に、前記条件が満たされていると判断する、
請求項５に記載の空気調和機。
【発明の詳細な説明】
【技術分野】
【０００１】
本発明は、室内温度を検出可能な空気調和機に関する。
【背景技術】
【０００２】
従来より、室内温度を検出するための検出部を備える空気調和機がある。このような検出部は、検出部の周囲の温度を検出しているため、検出部近傍の機器が発する熱の影響を受けて、正確な温度が検出できないという問題があった。
【０００３】
そこで、特許文献１（特開２００１−５６１３１号公報）に開示されている空気調和機では、温度センサ（検出部に相当）を電源箱から離れた位置に配置することで、電源箱の制御基板からの熱の影響を受けにくくしている。
【発明の概要】
【発明が解決しようとする課題】
【０００４】
ところで、室内温度を検知するための検出部は、制御基板の他に、空調運転の運転状態の影響を受けることが考えられる。例えば、空調運転時に調和空気が直接吹き付けるような位置に検出部が配置されている場合には、室内空気に混合される前の調和空気の温度が検出部によって検出されるおそれがある。このように、検出部が空調運転の影響を受けることで、正確な温度が検出されないおそれがある。
【０００５】
そこで、本発明の課題は、室内温度が誤って検出されるおそれを減らすことができる空気調和機を提供することにある。
【課題を解決するための手段】
【０００６】
第１発明に係る空気調和機は、室内温度を検出するための複数の検出部と、制御部とを備えている。制御部は、選択部と、取得部とを有する。選択部は、運転状態に基づいて、複数の検出部のいずれかを選択する。取得部は、選択部によって選択された検出部から出力される検出結果を取得する。また、選択部は、少なくとも空調運転が実行されているか否かに基づいて、複数の検出部のうちのいずれかを選択する。
【０００７】
第１発明に係る空気調和機では、少なくとも空調運転が実行されているか否かに基づいて、複数の検出部のうちのいずれかの検出部が選択される。このため、例えば、空調運転が実行されているときには、複数の検出部のうち、空調運転の影響を受けにくい位置に配置されている検出部が選択部によって選択される場合には、室内空気に混合される前の調和空気の温度が検出されるおそれを減らすことができる。
【０００８】
これによって、室内温度が誤って検出されるおそれを減らすことができる。
【０００９】
第２発明に係る空気調和機は、第１発明の空気調和機であって、ケーシングと、熱交換器とを更に備える。ケーシングには、取込口が形成されている。熱交換器は、ケーシングに収納されている。また、熱交換器は、取込口から流入してくる空気と熱交換を行う。さらに、複数の検出部は、熱交換器の端部近傍に配置される第１検出部を含む。また、選択部は、空調運転が実行されていない場合には、複数の検出部から第１検出部を選択する。
【００１０】
第２発明に係る空気調和機では、空調運転が実行されてない場合には、複数の検出部から第１検出部が選択される。このため、例えば、空調運転が停止された直後など熱交換器からの熱の影響が大きいときに、熱交換器からの熱の影響を受けやすい位置に配置されている検出部が選択される場合と比較して、熱交換器からの熱の影響を受けるおそれを減らすことができる。
【００１１】
第３発明に係る空気調和機は、第２発明の空気調和機であって、第１検出部は、ケーシング内側であって、取込口近傍に配置されている。このため、第１検出部を、ケーシングの外側に連通している取込口近傍に配置することができる。したがって、第１検出部がケーシングの内側に配置されている場合であっても、ケーシングにおける熱籠もりの影響を受けるおそれを減らすことができる。
【００１２】
第４発明に係る空気調和機は、第２発明または第３発明の空気調和機であって、ケーシングには、熱交換器によって熱交換された空気を吹き出すための吹出口が形成されている。また、取込口から吹出口に向かう空気流を形成可能なファンを更に備えている。さらに、複数の検出部は、第１検出部とは別の第２検出部を更に含む。第２検出部は、熱交換器によって熱交換された空気の流れる流路から離れた位置に配置されている。また、選択部は、空調運転の実行が開始された場合であって、ファンの回転数に関する条件を満たしていると判断した場合には、複数の検出部から第２検出部を選択する。
【００１３】
第４発明に係る空気調和機では、空調運転の実行が開始された場合であって、ファンの回転数に関する条件が満たされていると判断された場合には、複数の検出部から第２検出部が選択される。このため、熱交換器によって熱交換された空気である調和空気が第２検出部に直接吹き付けるおそれを減らすことができる。したがって、室内空気に混合される前の調和空気の温度が検出されるおそれを減らすことができる。
【００１４】
これによって、室内温度が誤って検出されるおそれを減らすことができる。
【００１５】
第５発明に係る空気調和機は、第４発明の空気調和機であって、選択部は、前記条件が満たされているか否かを判断する判断部を含む。また、選択部は、判断部によって前記条件が満たされていないと判断された場合には、第１検出部を選択する。このため、空調運転の実行が開始された直後に第２検出部が選択される場合と比較して、空調運転の実行が開始された直後のケーシング内の熱籠もりの影響を受けるおそれを減らすことができる。
【００１６】
第６発明に係る空気調和機は、第５発明の空気調和機であって、判断部は、ファンが、所定の回転数以上の回転数で、所定時間継続して回転した場合に、前記条件が満たされていると判断する。このため、空調運転の実行開始時に、ケーシング内に籠もっている熱をケーシング外に排出することができる。したがって、検出部がケーシングにおける熱籠もりの影響を受けるおそれを減らすことができる。
【発明の効果】
【００１７】
第１発明に係る空気調和機では、室内温度が誤って検出されるおそれを減らすことができる。
【００１８】
第２発明に係る空気調和機では、熱交換器からの熱の影響を受けるおそれを減らすことができる。
【００１９】
第３発明に係る空気調和機では、ケーシングにおける熱籠もりの影響を受けるおそれを減らすことができる。
【００２０】
第４発明に係る空気調和機では、室内温度が誤って検出されるおそれを減らすことができる。
【００２１】
第５発明に係る空気調和機では、空調運転の実行が開始された直後のケーシング内の熱籠もりの影響を受けるおそれを減らすことができる。
【００２２】
第６発明に係る空気調和機では、検出部がケーシングにおける熱籠もりの影響を受けるおそれを減らすことができる。
【図面の簡単な説明】
【００２３】
【図１】空気調和機の運転停止時であって、水平羽根が閉姿勢を採っており、側方遮蔽部材が閉状態である室内機の正面図。
【図２】水平羽根が所定の開姿勢を採っており、側方遮蔽部材が開状態である室内機の左右方向の概略断面図（室内熱交換器は省略）。
【図３】水平羽根が所定の開姿勢を採る場合の室内機の前後方向の概略断面図。
【図４】水平羽根が閉姿勢を採る場合の室内機の概略図。
【図５】水平羽根が摺れ防止姿勢を採る場合の室内機の概略図。
【図６】水平羽根が所定の開姿勢を採る場合の室内機の概略図。
【図７】水平羽根が所定の開姿勢を採る場合の室内機の概略図。
【図８】水平羽根が所定の開姿勢を採っており、側方遮蔽部材が閉状態である場合の室内機の斜視図であって、側方遮蔽部材近傍の部分拡大図。
【図９】水平羽根が所定の開姿勢を採っており、側方遮蔽部材が開状態である場合の室内機の斜視図であって、側方遮蔽部材近傍の部分拡大図。
【図１０】水平羽根駆動機構および取り付け板の斜視図。
【図１１】空気調和機の備える制御部の制御ブロック図。
【図１２】運転状態に基づく取得センサの切り替え、ならびに、クールダウン運転停止制御と水平羽根の姿勢および室内ファンの風量との関係を示す図。
【図１３】空調運転の開始時において、取得センサが切り替えられる場合の一例を示す図。
【図１４】空調運転の実行開始時において、取得センサが切り替えられる流れを示すフローチャート。
【発明を実施するための形態】
【００２４】
以下、図面を参照しながら本発明の実施形態に係る室内機１０を備える空気調和機について説明する。なお、以下の実施形態は、本発明の具体例であって、本発明の技術的範囲を限定するものではない。
【００２５】
＜空気調和機の構成概略＞
図１は、空気調和機の運転停止時であって、水平羽根３０が閉姿勢を採っており、側方遮蔽部材２０，９０が閉状態である室内機１０の正面図である。なお、以下にいう室内機１０の左右方向Ｙ１とは、室内機１０の長手方向に平行な方向のことである（図１参照）。また、室内機１０の前後方向Ｙ２とは、室内機１０の厚さ方向に平行な方向のことである。
【００２６】
空気調和機は、室内の壁面に取り付けられる室内機１０と、室外に設置される室外機２（図１１参照）とを備えており、冷房運転および暖房運転等の各種運転を実行することができる。
【００２７】
室外機２は、圧縮機３と、圧縮機３の吐出側に接続されている四路切換弁４と、圧縮機３の吸入側に接続されるアキュムレータと、四路切換弁４に接続されている室外熱交換器と、室外熱交換器に接続された室外膨張弁７とを有している（図１１参照）。室外膨張弁７は、冷媒配管を介して後述する室内熱交換器１３の一端と接続される。また、四路切換弁４は、冷媒配管を介して室内熱交換器１３の他端と接続されている。また、室外機２内には、室外ファン９が設けられている。室外ファン９は、室外の空気を取り込み、室外熱交換器での熱交換後の空気を室外機２外部に排出するプロペラファンである。
【００２８】
室内機１０は、上述のように、室内の壁面等に取り付けられる壁掛型の室内機１０である。また、室内機１０は、主として、室内機本体１１と、水平羽根３０と、側方遮蔽部材２０，９０と、水平羽根駆動機構５０（図１１参照）と、側方遮蔽部材駆動機構２９，９９（図１１参照）と、制御部８４（図１１参照）と、を備えている。
【００２９】
次に、室内機本体１１、水平羽根３０、側方遮蔽部材２０，９０、水平羽根駆動機構５０、側方遮蔽部材駆動機構２９，９９、制御部８４の順に説明する。
【００３０】
＜室内機本体の構成＞
図２は、水平羽根３０が所定の開姿勢を採っており、側方遮蔽部材２０，９０が開状態である室内機１０の左右方向Ｙ１の概略断面図である。図３は、水平羽根３０が所定の開姿勢を採る場合の室内機１０の前後方向Ｙ２の概略断面図である。なお、図２では、室内熱交換器１３を省略して描いている。
【００３１】
室内機本体１１は、主に、室内機ケーシング１２と、室内熱交換器１３と、室内ファン１４と、垂直羽根１９とを備えている。
【００３２】
室内機ケーシング１２は、水平方向に長い略直方形状の部材である。また、室内機ケーシング１２には、室内熱交換器１３、室内ファン１４、および、垂直羽根１９等が収納されている。さらに、室内機ケーシング１２には、取込口１８と、吹出口１５とが形成されている。取込口１８は、室内の空気を室内機ケーシング１２の内側に取り込むための開口であって、室内機ケーシング１２の上部に形成されている。
【００３３】
また、吹出口１５は、室内機本体１１内で調和された空気（調和空気）を吹き出すための開口であって、室内機１０の下部近傍に形成されている。具体的には、吹出口１５は、室内機ケーシング１２の底面および両側面に形成されている。また、室内機ケーシング１２は、吹出口１５を３つの開口に仕切るための仕切部１２ａ，１２ａを有している。仕切部１２ａ，１２ａは、室内機ケーシング１２において、室内機ケーシング１２の外面よりも内側に設けられている（図８および図９参照）。また、仕切部１２ａ，１２ａは、室内機ケーシング１２の底面の両端部近傍にそれぞれ配置されている。このため、吹出口１５には、室内機ケーシング１２の底面に設けられている第１開口１６と、室内機ケーシング１２の底面から左側面にかけて形成されている第２開口１７ａと、室内機ケーシング１２の底面から右側面にかけて形成されている第３開口１７ｂとが含まれる。
【００３４】
室内熱交換器１３は、長手方向両端で複数回折り返されてなる伝熱管と、伝熱管に挿通される複数のフィンとからなり、接触する空気との間で熱交換を行う。また、室内熱交換器１３は、暖房運転時には凝縮器として機能し、冷房運転時には蒸発器として機能する。
【００３５】
室内ファン１４は、ファンモータ１４ａ（図１１参照）を有するクロスフローファンである。室内ファン１４は、ファンモータ１４ａが駆動することによって、所定の回転数で、回転駆動される。また、室内ファン１４は、取込口１８から室内機ケーシング１２内に室内空気を流入させ、室内熱交換器１３を通過させた後に、吹出口１５から室内機ケーシング１２外に調和空気を吹き出す空気流を形成することができるように配置されている。このため、室内ファン１４は、取込口１８から吹出口１５に向かう空気流の風量を調整可能である。
【００３６】
垂直羽根１９は、駆動モータ（図示せず）と、連結棒（図示せず）と、連結棒によって連結された複数枚の羽根１９ａとを有しており、揺動可能なように室内機ケーシング１２に取り付けられている。また、複数枚の羽根１９ａの面は、駆動モータによって連結棒が駆動されることで、室内機ケーシング１２の長手方向に対して垂直な状態を中心に左右に揺動する。さらに、羽根１９ａは、揺動することにより、または、揺動した後に任意の角度で止まることで、室内機１０の左右方向Ｙ１における調和空気の吹き出し方向を調整する。
【００３７】
また、室内機ケーシング１２には、取込口１８から取り込まれた室内空気が吹出口１５に至るまでに流れる流路である空気流路Ａ１，Ａ２が形成されている（図３参照）。さらに、空気流路には、案内部１２ｂ，１２ｃおよび後述する取り付け板８０によって構成されており、室内熱交換器１３によって熱交換され室内ファン１４を貫流した調和空気が流れる吹き出し流路Ａ２が含まれる。
【００３８】
また、室内機ケーシング１２は、側方吹き出し流路形成部材２５，９５を有している。側方吹き出し流路形成部材２５，９５は、第２開口１７ａおよび第３開口１７ｂに調和空気を流すための流路であって、上述の吹き出し流路Ａ２の一部である側方吹き出し流路Ｃ，Ｄの一部を構成している部材である（図２参照）。また、側方吹き出し流路形成部材９５は、室内機ケーシング１２内であって第２開口１７ａ近傍に配置されており、室内機ケーシング１２に固定されている。側方吹き出し流路形成部材２５は、室内機ケーシング１２内であって第３開口１７ｂ近傍に配置されており、室内機ケーシング１２に固定されている。さらに、側方吹き出し流路形成部材２５，９５の下側には、仕切部１２ａ，１２ａが配置されている。このため、吹き出し流路Ａ２は、その下部において、第１開口１６に調和空気を流すための流路である正面吹き出し流路Ｂと、第２開口１７ａまたは第３開口１７ｂに調和空気を流すための流路である側方吹き出し流路Ｃ，Ｄとに分かれている。
【００３９】
さらに、室内機ケーシング１２内には、室内温度を検出可能な室温センサである第１室温センサ８９ｂと第２室温センサ８９ａとが設けられている。
【００４０】
第１室温センサ８９ｂは、室内機本体１１の右側端部近傍に配置されている。具体的には、第１室温センサ８９ｂは、室内機ケーシング１２の内側であって、室内熱交換器１３の端部近傍に配置されている。より具体的には、第１室温センサ８９ｂは、取込口１８から取り込まれる空気から塵埃等を除去するために取込口１８と室内熱交換器１３との間に配置されるフィルタ（図示せず）と取込口１８との間に配置されている。
【００４１】
第２室温センサ８９ａは、室内機ケーシング１２内において、吹き出し流路Ａ２から離れた位置に配置されている（図３参照）。具体的には、第２室温センサ８９ａは、後述する取り付け板８０の上方に配置される電装品箱近傍に配置されている。なお、本実施形態では、第２室温センサ８９ａは、第１室温センサ８９ｂよりも室内熱交換器１３までの距離が短くなるように配置されている。
【００４２】
また、第１室温センサ８９ｂおよび第２室温センサ８９ａは、検出した室内温度に関する情報を、検出結果として、後述する取得部８８に所定時間毎に送信する。
【００４３】
＜水平羽根＞
図４は、水平羽根３０が閉姿勢を採る場合の室内機１０の概略図である。図５は、水平羽根３０が摺れ防止姿勢を採る場合の室内機１０の概略図である。図６は、水平羽根３０が所定の開姿勢を採る場合の室内機１０の概略図である。図７は、水平羽根３０が所定の開姿勢を採る場合の室内機１０の概略図である。なお、以下にいう水平羽根３０の前側端部とは、水平羽根３０において、水平羽根３０が閉姿勢を採る場合に室内機１０の前側に近い側の端部を意味している。また、水平羽根３０の後側端部とは、水平羽根３０において、水平羽根３０が閉姿勢を採る場合に室内機１０の後側に近い側の端部を意味している。
【００４４】
水平羽根３０は、第１開口１６の略全部を覆うことが可能な略台形状を呈する板状の部材であって、第１開口１６近傍に配置されている。また、水平羽根３０は、室内機１０の左右方向Ｙ１に平行な方向である水平羽根３０の長手方向の寸法が、第１開口１６の長手方向の寸法よりも大きくなるように構成されている（図２参照）。
【００４５】
さらに、水平羽根３０は、後述する水平羽根駆動機構５０と連結する連結部３１，３２，３３，３４，３５を有する。連結部３１，３２，３３，３４，３５は、水平羽根３０において、水平羽根３０が第１開口１６を覆っている状態で、室内機１０の外部から視認することができる面とは反対側の面に配置されている。また、連結部３１，３２，３３，３４，３５は、第１連結部３１，３２，３３と、第２連結部３４，３５とを含む。第１連結部３１，３２，３３は、水平羽根３０の前側端部近傍であって、水平羽根３０の両端部近傍および水平羽根３０の長手方向の略中央付近にそれぞれ配置されている。第２連結部３４，３５は、水平羽根３０の後側端部近傍であって、水平羽根３０の長手方向の略中央付近にそれぞれ配置されている。また、各第２連結部３４，３５は、水平羽根３０の長手方向に対して平行な方向に並んで配置されている。さらに、第２連結部３４，３５は、水平羽根３０において、３箇所の第１連結部３１，３２，３３を結ぶ直線上から外れた位置に配置されている。このため、第１連結部３１，３２，３３および第２連結部３４，３５の位置が確定することで、第１開口１６の開口面に対する水平羽根３０の姿勢が確定する。
【００４６】
また、第１連結部３１，３２，３３および第２連結部３４，３５は、それぞれ軸支部を含む。各軸支部は、後述する支持軸４７，５７，６７，７８ａ，７８ｂを回転可能に軸支している。
【００４７】
さらに、水平羽根３０は、閉姿勢と、摺れ防止姿勢と、所定の開姿勢とを採ることが可能である。水平羽根３０が閉姿勢を採る場合には、水平羽根３０が、第１開口１６の略全体を覆うように第１開口１６の開口面近傍に配置される（図４参照）。このため、水平羽根３０が閉姿勢を採る場合には、吹出口１５の第１開口１６が遮蔽される。
【００４８】
また、水平羽根３０が摺れ防止姿勢を採る場合には、水平羽根３０が、第１開口１６の開口面に対して略平行に対向するように配置される（図５参照）。このため、水平羽根３０が摺れ防止姿勢を採る場合には、開放されている第１開口１６から吹き出された調和空気は、水平羽根３０に規制されて、略水平方向よりも上方向に向かって吹き出される。
【００４９】
さらに、水平羽根３０が開姿勢を採る場合には、水平羽根３０が、第１開口１６の開口面に対して傾斜して配置される（図６および図７参照）。このため、水平羽根３０が所定の開姿勢を採る場合には、開放されている第１開口１６から吹き出された調和空気は、水平羽根３０によって規制されることで、所定の方向に向かって吹き出される。
【００５０】
＜側方遮蔽部材＞
図８は、水平羽根３０が所定の開姿勢を採っており、側方遮蔽部材２０が閉状態である場合の室内機１０の斜視図であって、側方遮蔽部材２０近傍の部分拡大図である。図９は、水平羽根３０が所定の開姿勢を採っており、側方遮蔽部材２０が開状態である場合の室内機１０の斜視図であって、側方遮蔽部材２０近傍の部分拡大図である。
【００５１】
側方遮蔽部材２０，９０は、吹出口１５の側面側を覆うことが可能な部材であって、室内機１０の左右両側方下部に配置されている。具体的には、側方遮蔽部材２０，９０は、室内機１０の下部の角部に沿った湾曲した形状を呈する部材であって、第２開口１７ａおよび第３開口１７ｂ近傍にそれぞれ配置されている。
【００５２】
また、側方遮蔽部材２０，９０は、２つの状態（閉状態および開状態）を採ることが可能である。
【００５３】
側方遮蔽部材２０，９０の閉状態を採る場合、側方遮蔽部材２０が第３開口１７ｂを覆うように配置され、側方遮蔽部材９０が第２開口１７ａを覆うように配置される（図８参照）。このため、水平羽根３０が閉姿勢を採っており、側方遮蔽部材２０，９０が閉状態である場合には、吹出口１５が遮蔽される。
【００５４】
側方遮蔽部材２０，９０が開状態である場合、側方遮蔽部材２０が第３開口１７ｂを開放するように配置され、側方遮蔽部材９０が第２開口１７ａを開放するように配置される（図９参照）。また、側方遮蔽部材２０，９０が開状態である場合には、側方遮蔽部材２０，９０の一部が、側方吹き出し流路形成部材２５，９５によって形成されている収納空間Ｓに収納される（図８および図９参照）。
【００５５】
＜水平羽根駆動機構＞
図１０は、水平羽根駆動機構５０および取り付け板８０の斜視図である。
【００５６】
水平羽根駆動機構５０は、水平羽根３０が所定の姿勢を採るように、水平羽根３０の第１連結部３１，３２，３３および第２連結部３４，３５を移動させるための機構である。
【００５７】
また、水平羽根駆動機構５０は、第１迫り出し機構４１，５１，６１と、第２迫り出し機構７１ａ，７１ｂとを有している。
【００５８】
第１迫り出し機構４１，５１，６１は、水平羽根３０の第１連結部３１，３２，３３と連結されており、第１開口１６から近接または離反するように第１連結部３１，３２，３３を移動させることができる。また、第１迫り出し機構４１，５１，６１は、ラック／ピニオン機構であって、図１０に示すように、ピニオン歯車４２，５２，６２と、ラック４３，５３，６３とを有している。各ピニオン歯車４２，５２，６２は、後述する第１モータ５４の有する駆動軸５４ａに連結されている。ラック４３，５３，６３は、各ピニオン歯車４２，５２，６２と噛み合うラック歯部４６，５６，６６と、支持軸４７，５７，６７とを有している。ラック歯部４６，５６，６６は、ラック４３，５３，６３の上端部近傍から下端部近傍にかけて設けられている。各支持軸４７，５７，６７は、摺動性に優れた部材（高摺動部材）によって構成された棒状の部材であって、水平羽根３０の第１連結部３１，３２，３３の有する各軸支部を水平羽根３０の長手方向に対して平行に挿通しており、水平羽根３０を回動可能に支持している。
【００５９】
また、第１迫り出し機構４１，５１，６１は、１つの第１モータ５４を有している。第１モータ５４は、パルスが入力されることで駆動するステッピングモータである。また、第１モータ５４には、第１モータ５４が駆動することによって回転する駆動軸５４ａが連結されている。さらに、駆動軸５４ａには、上述のように、各第１迫り出し機構４１，５１，６１のピニオン歯車４２，５２，６２が連結されている。このため、第１モータ５４は、駆動軸５４ａを回転させることで、ピニオン歯車４２，５２，６２を回転させることができる。
【００６０】
このような構成によって、第１迫り出し機構４１，５１，６１では、第１モータ５４によってピニオン歯車４２，５２，６２が回転されることで、ピニオン歯車４２，５２，６２と噛み合うラック歯部４６，５６，６６に動力が伝達されて、各ピニオン歯車４２，５２，６２に対する各支持軸４７，５７，６７の位置が変化する。このため、第１迫り出し機構４１，５１，６１が駆動されることで、ピニオン歯車４２，５２，６２に対する第１連結部３１，３２，３３の位置が移動される。
【００６１】
第２迫り出し機構７１ａ，７１ｂは、水平羽根３０の第２連結部３４，３５と連結されており、第１開口１６から近接または離反するように第２連結部３４，３５を移動させることができる。
【００６２】
また、第２迫り出し機構７１ａ，７１ｂは、第２モータ７３ａ，７３ｂと、リンク機構７２ａ，７２ｂと、を備えている。第２モータ７３ａ，７３ｂは、パルスが入力されることで駆動するステッピングモータである。また、第２モータ７３ａ，７３ｂは、駆動軸７９ａ，７９ｂを有しており、駆動軸７９ａ，７９ｂを介してリンク機構７２ａ，７２ｂを駆動させることができる。リンク機構７２ａ，７２ｂは、揺動レバー７４ａ，７４ｂと、アーム７５ａ，７５ｂと、を有している。揺動レバー７４ａ，７４ｂは、その一端部が駆動軸７９ａ，７９ｂ近傍に配置されており、駆動軸７９ａ，７９ｂの回転に伴って揺動する。また、揺動レバー７４ａ，７４ｂの他端部は、アーム７５ａ，７５ｂの上端部と回動可能に連結されている。さらに、アーム７５ａ，７５ｂには、揺動レバー７４ａ，７４ｂと連結している端部とは反対側の端部近傍に支持軸７８ａ，７８ｂが形成されている。支持軸７８ａ，７８ｂは、摺動性に優れた部材（高摺動部材）によって構成された棒状の部材であって、水平羽根３０の第２連結部３４，３５の軸支部とそれぞれ係合しており、水平羽根３０を回動可能の支持している。
【００６３】
このような構成によって、第２迫り出し機構７１ａ，７１ｂでは、第２モータ７３ａ，７３ｂが駆動することで、第２モータ７３ａ，７３ｂに対する支持軸７８ａ，７８ｂの位置が変化する。このため、第２迫り出し機構７１ａ，７１ｂが駆動することで、第２モータ７３ａ，７３ｂに対する第２連結部３４，３５の位置が移動される。
【００６４】
また、第２迫り出し機構７１ａ，７１ｂは、第１連結部３１，３２，３３に軸支されている支持軸４７，５７，６７を回転軸として、第２連結部３４，３５をリンク全開位置に移動させることが可能である。リンク全開位置とは、第２連結部３４，３５が移動されることで、水平羽根３０がラック４３，５３，６３に当接する構造当たり位置のことである。
【００６５】
さらに、第２迫り出し機構７１ａ，７１ｂは、第１連結部３１，３２，３３の位置が図６および図７に示す位置に配置されている場合には、第１連結部３１，３２，３３に軸支されている支持軸４７，５７，６７を回転軸として第２連結部３４，３５の位置を変化させることができる。このため、水平羽根３０に第１開口１６の開口面に対して所定角度だけ傾斜して配置されるような所定の開姿勢を採らせたり、水平羽根３０をスイングさせたりすることができる。
【００６６】
このような構成によって、水平羽根駆動機構５０は、第１連結部３１，３２，３３および第２連結部３４，３５を移動させることによって、水平羽根３０の姿勢を変更することができる。
【００６７】
また、水平羽根駆動機構５０は、取り付け板８０を有している。取り付け板８０は、吹出口１５の開口面よりも上方に配置されており、室内機ケーシング１２に固定されている。また、取り付け板８０の上面には、１つの第１モータ５４および２つの第２モータ７３ａ，７３ｂが固定されている。このようにして、第１モータ５４および第２モータ７３ａ，７３ｂは、取り付け板８０とともに、室内機ケーシング１２の内部に収納されている。
【００６８】
＜側方遮蔽部材駆動機構＞
側方遮蔽部材駆動機構２９，９９は、水平羽根駆動機構５０とは別の駆動機構であって、側方遮蔽部材２０，９０の開閉状態を切り換えるための機構である。また、側方遮蔽部材駆動機構２９，９９は、側方遮蔽部材２０，９０を閉状態から開状態に切り換える場合には、閉状態である側方遮蔽部材２０，９０を室内機本体１１の左右方向の中央に向かって移動させる。
【００６９】
次に、側方遮蔽部材駆動機構２９，９９の構成について説明する。また、側方遮蔽部材駆動機構２９，９９は、側方遮蔽部材２０の状態を切り換えるための側方遮蔽部材駆動機構２９と、側方遮蔽部材９０の状態を切り換えるための側方遮蔽部材駆動機構９９とを有する。なお、側方遮蔽部材駆動機構９９は、側方遮蔽部材駆動機構２９の構成を左右対称にした構成と同様であるため、ここでは、側方遮蔽部材駆動機構２９の構成のみを説明し、側方遮蔽部材駆動機構９９の構成については説明を省略する。
【００７０】
側方遮蔽部材駆動機構２９は、第３モータ２４と、支持部材とを備えている。第３モータ２４は、第３モータ２４が駆動することによって回転する駆動軸（図示せず）を有している。支持部材は、前方支持部材（図示せず）と後方支持部材２３ｂとを有している。前方支持部材の下端部は、側方遮蔽部材２０の前側端部に固定されている。また、前方支持部材の上端部は、室内機ケーシング１２に回転自在に支持されている。後方支持部材２３ｂの下端部は、側方遮蔽部材２０の後側端部に固定されている。また、後方支持部材２３ｂの上端部は、第３モータ２４の有する駆動軸に連結されている。
【００７１】
このような構成によって、側方遮蔽部材駆動機構２９では、第３モータ２４が駆動することによって、後方支持部材２３ｂが駆動軸を回転軸として回動する。このため、側方遮蔽部材２０は、第３開口１７ｂを開放したり遮蔽したりする方向に移動する。
【００７２】
なお、側方遮蔽部材駆動機構９９では、第３モータ９４が駆動することによって、側方遮蔽部材９０が、第２開口１７ａを開放したり遮蔽したりする方向に移動する。
【００７３】
＜制御部＞
図１１は、空気調和機の備える制御部８４の制御ブロック図である。図１２は、運転状態に基づく取得センサの切り替え、ならびに、クールダウン運転停止制御と水平羽根３０の姿勢および室内ファン１４の風量との関係を示す図である。図１３は、空調運転の開始時において、取得センサが切り替えられるタイミングの一例を示す図である。なお、図１２および図１３において、「空調運転実行中」とは、空調対象者によって空調運転の運転開始指令が為されてから、空調対象者によって空調運転の運転停止指令が為されるまでの期間を示している。また、図１２および図１３において、「空調運転実行停止中」とは、空調対象者によって空調運転の運転停止指令が為されてから、空調対象者によって空調運転の運転開始指令が為されるまでの期間を示している。
【００７４】
制御部８４は、図１１に示すように、室内機１０および室外機２の各種機器と接続されており、リモートコントローラ８６を介した空調対象者からの運転指令等に基づいて、冷房運転や暖房運転等の各空調運転に応じた各種機器の運転制御を行う。
【００７５】
また、制御部８４は、受信部８１と、駆動機構制御部８５と、ファン制御部８２とを備えている。
【００７６】
受信部８１は、リモートコントローラ８６等を介して空調対象者から送信される空気調和機に対する指令を制御信号として受信する。なお、前記指令には、運転開始指令および運転停止指令が含まれる。運転開始指令とは、空調運転を開始する際に空調対象者によって為される指令のことである。また、運転停止指令とは、空調運転を停止する際に空調対象者によって為される指令のことである。
【００７７】
駆動機構制御部８５は、水平羽根駆動機構５０および側方遮蔽部材駆動機構２９，９９の駆動を制御する。具体的には、駆動機構制御部８５は、第１モータ５４および２つの第２モータ７３ａ，７３ｂの回転数と回転方向とを制御することで、第１迫り出し機構４１，５１，６１および第２迫り出し機構７１ａ，７１ｂを任意のタイミングで駆動させる。より具体的には、駆動機構制御部８５は、第１モータ５４および第２モータ７３ａ，７３ｂに正または負のパルスを所定量入力することで第１迫り出し機構４１，５１，６１および第２迫り出し機構７１ａ，７１ｂを駆動させ、第１連結部３１，３２，３３および第２連結部３４，４５を所定の位置に移動させる。このため、第１連結部３１，３２，３３および第２連結部３４，３５が所定の位置にそれぞれ移動されることで、水平羽根３０の姿勢が変更される。なお、駆動機構制御部８５は、制御部８４から送信される水平羽根３０の姿勢に関する信号を受信することで、水平羽根駆動機構５０を駆動させる。
【００７８】
また、駆動機構制御部８５は、第３モータ２４，９４の回転数と回転方向とを制御することで、側方遮蔽部材駆動機構２９，９９を駆動させる。具体的には、駆動機構制御部８５は、第３モータ２４，９４に正または負のパルスを所定量入力することで側方遮蔽部材駆動機構２９，９９を駆動させる。このため、側方遮蔽部材駆動機構２９，９９が開状態または閉状態に切り換えられる。なお、駆動機構制御部８５は、制御部８４から送信される側方遮蔽部材２０，９０の状態に関する信号を受信することで、側方遮蔽部材駆動機構２９，９９を駆動させる。
【００７９】
ファン制御部８２は、ファンモータ１４ａを制御することで、室内ファン１４を回転駆動させることができる。また、ファン制御部８２は、ファンモータ１４ａを制御することで、室内ファン１４の回転数を制御することができる。なお、ファン制御部８２は、制御部８４から送信されるファンの回転駆動に関する信号を受信することで、ファンモータ１４ａを駆動させる。
【００８０】
また、制御部８４は、受信部８１が空調運転の運転開始指令を制御信号として受信した場合、空調運転が開始されるように、運転開始制御を行う。運転開始制御では、圧縮機３の駆動が開始されるように圧縮機３が制御されるとともに、閉姿勢の水平羽根３０が所定の開姿勢を採るように水平羽根駆動機構５０が制御され、かつ、室内ファン１４の回転が開始されるようにファンモータ１４ａが制御される。具体的には、制御部８４は、運転開始制御において、駆動機構制御部８５に対して水平羽根３０が所定の開姿勢を採るように水平羽根３０の姿勢に関する信号を送信するとともに、ファン制御部８２に対して室内ファン１４の回転が開始するようにファンの回転駆動に関する信号を送信する。このため、駆動機構制御部８５は前記信号を受信することで水平羽根３０が所定の開姿勢を採るように第１モータ５４および２つの第２モータ７３ａ，７３ｂを制御し、ファン制御部８２は前記信号を受信することで室内ファン１４の回転駆動が開始されるようにファンモータ１４ａを制御する。
【００８１】
また、制御部８４は、受信部８１が空調運転のうちの暖房運転以外の空調運転（例えば、冷房運転）の運転停止指令を制御信号として受信した場合、空調運転の実行が停止されるように、通常運転停止制御を行う。通常運転停止制御では、圧縮機３の駆動が停止されるように圧縮機３が制御されるとともに、所定の開姿勢を採っている水平羽根３０が閉姿勢を採るように水平羽根駆動機構５０が制御され、かつ、室内ファン１４の回転が停止されるようにファンモータ１４ａが制御される。具体的には、制御部８４は、通常運転停止制御において、駆動機構制御部８５に対して水平羽根３０が全開姿勢を採った後に閉姿勢を採るように水平羽根３０の姿勢に関する信号を送信するとともに、ファン制御部８２に対して室内ファン１４の回転が停止されるようにファンの回転駆動に関する信号を送信する。このため、駆動機構制御部８５は前記信号を受信することで水平羽根３０が全開姿勢を採った後に閉姿勢を採るように第１モータ５４および２つの第２モータ７３ａ，７３ｂを制御し、ファン制御部８２は前記信号を受信することで室内ファン１４の回転駆動が停止するようにファンモータ１４ａを制御する。
【００８２】
なお、全開姿勢とは、２つの第２モータ７３ａ，７３ｂが制御されることで第２迫り出し機構７１ａ，７１ｂの駆動が制御され、支持軸４７，５７，６７を回転軸として、第２連結部３４，３５がリンク全開位置に移動された時に水平羽根３０の採る姿勢のことである。ここで、リンク全開位置とは、上述のように構造当たり位置のことであり、第２モータ７３ａ，７３ｂの駆動が制御される際に基準となる原点位置のことである。
【００８３】
さらに、制御部８４は、受信部８１が空調運転のうちの暖房運転の運転停止指令を制御信号として受信した場合に、クールダウン運転停止制御を行う。クールダウン運転停止制御には、第１制御と、第２制御と、第３制御とが含まれる（図１２参照）。
【００８４】
第１制御は、受信部８１が暖房運転の運転停止指令を制御信号として受信することに応じて制御部８４によって行われる制御である。第１制御では、室内ファン１４の風量が第１風量となるようにファンモータ１４ａが制御されるとともに、所定の開姿勢を採っている水平羽根３０が摺れ防止姿勢を採るように水平羽根駆動機構５０が制御される。具体的には、制御部８４は、第１制御において、駆動機構制御部８５に対して水平羽根３０が全開姿勢を採った後に摺れ防止姿勢を採るように水平羽根３０の姿勢に関する信号を送信するとともに、ファン制御部８２に対して室内ファン１４の風量が第１風量となるようにファンの回転駆動に関する信号を送信する。このため、駆動機構制御部８５は前記信号を受信することで水平羽根３０が全開姿勢を採った後に摺れ防止姿勢を採るように第１モータ５４および２つの第２モータ７３ａ，７３ｂを制御し、ファン制御部８２は前記信号を受信することで室内ファン１４の風量が第１風量となるようにファンモータ１４ａを制御する。
【００８５】
第２制御は、第１制御において水平羽根３０の姿勢が摺れ防止姿勢に変更されたことに応じて、制御部８４によって行われる制御である。第２制御では、室内ファン１４の風量が第１風量よりも多い風量である第２風量となるようにファンモータ１４ａが制御される。具体的には、制御部８４は、第２制御において、ファン制御部８２に対して室内ファン１４の風量が第２風量となるようにファンの回転駆動に関する信号を送信する。このため、ファン制御部８２は前記信号を受信することで室内ファン１４の風量が第２風量となるようにファンモータ１４ａを制御する。なお、第２制御が行われている間、水平羽根３０の姿勢は変更されないため、水平羽根３０は摺れ防止姿勢を採り続けている。
【００８６】
第３制御は、第２制御において室内ファン１４の風量が第２風量となってから所定時間（例えば、１２０秒）が経過したこと応じて制御部８４によって行われる制御である。第３制御では、室内ファン１４の回転駆動が停止されるようにファンモータ１４ａが制御されるとともに、水平羽根３０の姿勢が閉姿勢となるように水平羽根駆動機構５０が制御される。具体的には、制御部８４は、第３制御において、駆動機構制御部８５に対して水平羽根３０の姿勢が閉姿勢となるように水平羽根３０の姿勢に関する信号を送信するとともに、ファン制御部８２に対して室内ファン１４の回転駆動が停止されるようにファンの回転駆動に関する信号を送信する。このため、駆動機構制御部８５は前記信号を受信することで水平羽根３０が閉姿勢を採るように第１モータ５４および２つの第２モータ７３ａ，７３ｂを制御し、ファン制御部８２は前記信号を受信することで室内ファン１４の回転駆動が停止するようにファンモータ１４ａを制御する。
【００８７】
なお、ここでいう第１風量とは、室内ファン１４が０ｒｐｍ以上の回転数であって、吹出口１５から空気が吹き出されても空調対象者の居る空間まで届かない程度の回転数で回転している場合に発生する風量のことである。また、第２風量とは、第１風量よりも大きい風量であって、室内ファン１４が所定時間回転することで室内熱交換器１３のクールダウンが可能な程度の風量のことである。また、本実施形態では、クールダウン運転停止制御における第１風量および第２風量は予め設定されているが、これに限定されず、第１風量については０ｒｐｍ以上の範囲内で、また、第２風量については０〜２２５０ｒｐｍの範囲内で、空調対象者等によって設定可能であってもよい。
【００８８】
また、受信部８１が暖房運転を含む空調運転の運転停止指令を制御信号として受信した時に、側方遮蔽部材２０，９０が開状態である場合には、制御部８４は、駆動機構制御部８５に対して側方遮蔽部材２０，９０が開状態から閉状態に切り換わるように、側方遮蔽部材２０，９０の状態に関する信号を送信する。
【００８９】
さらに、制御部８４は、空気調和機の運転状態に基づいて第１室温センサ８９ｂおよび第２室温センサ８９ａのうちのいずれかを選択する選択部８３と、選択部８３によって選択された第１室温センサ８９ｂまたは第２室温センサ８９ａのいずれか一方の室温センサから出力される検出結果を取得する取得部８８とを備えている。
【００９０】
選択部８３は、少なくとも空調運転が実行されているか否かに基づいて、第１室温センサ８９ｂおよび第２室温センサ８９ａのうちのいずれかを選択する。具体的には、選択部８３は、空調運転の実行が停止されている場合、空調運転の実行が開始されてからファンの回転数に関する条件が満たされていないと判断した場合、および、空調運転の実行が開始されてからファンの回転数に関する条件が満たされていると判断した場合に、第１室温センサ８９ｂおよび第２室温センサ８９ａのいずれかを選択する。より具体的には、選択部８３は、受信部８１が空調運転の運転停止指令を制御信号として受信した場合には、第１室温センサ８９ｂおよび第２室温センサ８９ａのうちの第１室温センサ８９ｂを選択する（図１２参照）。また、選択部８３は、受信部８１が空調運転の運転開始指令を制御信号として受信してから後述する判断部８７によってファンの回転数に関する条件が満たされていないと判断された場合には、第１室温センサ８９ｂおよび第２室温センサ８９ａのうちの第１室温センサ８９ｂを選択する（図１３参照）。さらに、選択部８３は、受信部８１が空調運転の運転開始指令を制御信号として受信してから後述する判断部８７によってファンの回転数に関する条件が満たされていると判断された場合には、第１室温センサ８９ｂおよび第２室温センサ８９ａのうちの第２室温センサ８９ａを選択する（図１３参照）。
【００９１】
また、選択部８３は、判断部８７を有している。判断部８７は、ファンの回転数に関する条件が満たされているか否かを判断する。ファンの回転数に関する条件とは、停止している室内ファン１４が所定の回転数（例えば、１０００ｒｐｍ）より多い回転数で所定時間（例えば、１８０秒）継続して回転しているという条件である。このため、判断部８７は、空調運転の実行が開始されてから、室内ファン１４が所定の回転数より多い回転数で所定時間継続して回転した場合には、ファンの回転数に関する条件が満たされたと判断する。なお、本実施形態では、ファンの回転数に関する条件は予め設定されているが、これに限定されず、所定の回転数については、例えば、０〜２５５０ｒｐｍの範囲内で、また、所定時間については、例えば、０〜６３０秒の範囲内で、空調対象者等によって設定可能であってもよい。
【００９２】
取得部８８は、第１室温センサ８９ｂおよび第２室温センサ８９ａのうち、選択部８３によって選択された室温センサから出力される検出結果を取得する。なお、このとき、第１室温センサ８９ｂおよび第２室温センサ８９ａのいずれの室温センサからも取得部８８に対して検出結果が出力されているが、取得部８８は、選択部８３によって選択されるいずれか一方の室温センサからの出力のみを取得し、他方の室温センサの出力については無視している。したがって、室内機１０の備える第１室温センサ８９ｂおよび第２室温センサ８９ａにおいて、空気調和機の運転状態に基づいて、その検出結果が取得される室温センサ（以下、取得センサという）が切り替えられている。
【００９３】
次に、空調運転の実行が開始されるとき、すなわち、空調運転実行停止中から空調運転実行中に切り換わるときにおける制御部８４による制御動作をより詳しく説明する。
【００９４】
＜空調運転の実行開始時における制御動作＞
図１４は、空調運転の実行が開始された場合に、取得センサが切り替えられる流れを示すフローチャートである。
【００９５】
受信部８１が空調運転の運転開始指令を制御信号として受信した場合、選択部８３によって第１室温センサ８９ｂが選択されるとともに、制御部８４によって運転開始制御が行われる（ステップＳ１）。具体的には、選択部８３によって第１室温センサ８９ｂが選択されることで、取得センサが第１室温センサ８９ｂとなる。このため、取得部８８は、空調運転の実行が停止されている場合に選択される第１室温センサ８９ｂからの出力結果の取得を継続する。また、制御部８４によって運転開始制御が行われることで、まず、閉姿勢を採る水平羽根３０の姿勢が所定の開姿勢に変更されるように第１モータ５４および第２モータ７３ａ，７３ｂが制御されるとともに、室内ファン１４の回転駆動が開始するようにファンモータ１４ａが制御される。このとき、判断部８７は、室内ファン１４の回転数が所定の回転数より多い回転数で回転しているか否かを判断する（ステップＳ２）。判断部８７は、室内ファン１４が所定の回転数より多い回転数で回転していないと判断した場合、室内ファン１４が所定の回転数より多い回転数で回転するまで、所定の回転数より多い回転数で回転しているか否かを判断し続ける。また、判断部８７は、室内ファン１４が所定の回転数より多い回転数で回転していると判断した場合、タイマのカウントを開始させる（ステップＳ３）。そして、判断部８７は、室内ファン１４が所定の回転数以下の回転数とならずに、タイマのカウントを開始させてから所定時間が経過したと判断した場合には、タイマのカウントを終了させ、ファンの回転数に関する条件が満たされていると判断する（ステップＳ４およびステップＳ５）。判断部８７によってファンの回転数に関する条件が満たされていると判断された場合、選択部８３によって第２室温センサ８９ａが選択され、取得センサが、第１室温センサ８９ｂから第２室温センサ８９ａに切り替えられる（ステップＳ６）。このため、取得部８８は、第２室温センサ８９ａからの出力結果を取得する。
【００９６】
また、判断部８７は、タイマのカウントを開始させてから所定時間が経過するまでに、室内ファン１４が所定の回転数より多い回転数で回転していないと判断した場合には、タイマのカウントをリセットさせ、再び、室内ファン１４が所定の回転数より多い回転数で回転していると判断した場合に、タイマのカウントを開始させる（ステップＳ２、ステップＳ３、ステップＳ４およびステップＳ５）。
【００９７】
このように、空調運転の実行開始時には、室内ファン１４が所定の回転数より多い回転数で所定時間継続して回転した後に、取得センサが第１室温センサ８９ｂから第２室温センサ８９ａに切り替えられる。
【００９８】
＜特徴＞
（１）
上記実施形態では、第２室温センサ８９ａは、室内機ケーシング１２内において、吹き出し流路Ａ２から離れた位置に配置されている。また、少なくとも空調運転が実行されているか否かに基づいて、第１室温センサ８９ｂおよび第２室温センサ８９ａのうちのいずれかの室温センサが選択されている。このため、空調運転が実行されている場合には、吹出口１５から吹き出される調和空気の影響を受けにくい位置に配置されている第２室温センサ８９ａが選択される場合には、室内空気と混合される前の調和空気の温度が検出されるおそれを減らすことができる。
【００９９】
これによって、複数の室温センサを適切に切り替えることで、室内温度が誤って検知されるおそれを減らすことができている。
【０１００】
（２）
上記実施形態では、第１室温センサ８９ｂは、室内熱交換器１３の端部近傍に配置されている。また、受信部８１が空調運転の運転停止指令を受信した場合には、第１室温センサ８９ｂが選択される。すなわち、空調運転が実行されていない場合には、取得センサが第１室温センサ８９ｂとなる。このため、第１室温センサ８９ｂよりも室内熱交換器１３近傍に配置されている第２室温センサ８９ａが取得センサとされる場合と比較して、空調運転が停止された直後の室内熱交換器１３からの熱の影響を受けにくくすることができる。
【０１０１】
また、上記実施形態では、第１室温センサ８９ｂは、室内機ケーシング１２の内側であって、取込口１８近傍に配置されている。このため、室内機ケーシング１２の内側に配置されている場合であっても、室内機ケーシング１２の熱籠もりの影響を受けにくくすることができている。
【０１０２】
（３）
上記実施形態では、空調運転の実行が開始された後に、判断部８７によってファンの回転数に関する条件が満たされていると判断された場合には、第２室温センサ８９ａが選択されている。このため、室内熱交換器１３によって熱交換されて吹き出し流路Ａ２を流れる調和空気の影響を受けにくい第２室温センサ８９ａを取得センサとすることができる。
【０１０３】
これによって、室内温度が誤って検出されるおそれを減らすことができている。
【０１０４】
なお、空調運転の実行時には、室内ファン１４が回転駆動しているため、第２室温センサ８９ａは、室内熱交換器１３の近傍に配置されていても、取込口１８から取り込まれる室内空気の温度を検出することができる。
【０１０５】
（４）
上記実施形態では、空調運転の実行が開始された後に、判断部８７によってファンの回転数に関する条件が満たされていないと判断された場合には、第１室温センサ８９ｂが選択されている。このため、空調運転の実行が開始された直後の室内機ケーシング１２内の熱籠もりによる影響を受けにくくすることができている。したがって、室内機ケーシング１２内に熱が籠もっている状態であっても、室温センサを適切に切り替えることができるため、取得部によって取得される室内温度を利用して行われる空調運転における各種制御が正確に実行されないおそれを減らすことができる。
【０１０６】
（５）
上記実施形態では、空調運転の実行が開始されてから、室内ファン１４が所定の回転数より多い回転数で所定時間継続して回転した場合には、ファンの回転数に関する条件が満たされていると判断されている。このため、例えば、室内機ケーシング１２内に熱が籠もっている場合であっても、室内ファン１４を所定時間継続して回転させることで、室内機ケーシング１２内の熱を室内機ケーシング１２外に排出することができる。したがって、室内機ケーシング１２内の熱を室内機ケーシング１２外に逃がしてから、取得センサを、第１室温センサ８９ｂから第２室温センサ８９ａに切り替えることができる。
【０１０７】
これによって、室内機ケーシング１２内の熱籠もりの影響を受けにくくすることができるため、室内温度が誤って検知されるおそれを減らすことができる。
【０１０８】
（６）
上記実施形態では、室内機１０には、側方に空気を吹き出すための第２開口１７ａおよび第３開口１７ｂが形成されている。このため、空調運転時に第３開口１７ｂが開放されている場合には、ショートサーキット現象が発生することで、室内機本体１１の右側端部近傍に配置されている第１室温センサ８９ｂが、第３開口１７ｂから吹き出される調和空気の有する熱の影響を受けるおそれがある。
【０１０９】
そこで、上記実施形態では、受信部８１が空調運転の運転停止指令を受信した場合には、第１室温センサ８９ｂが選択される。また、受信部８１が空調運転の運転開始指令を受信してから判断部８７によってファンの回転数に関する条件が満たされていると判断された場合には、第２室温センサ８９ａが選択されている。このため、空調運転実行停止時には室内機ケーシング１２内の熱籠もりの影響を受けにくい位置に配置されている第１室温センサ８９ｂを使用することができ、空調運転実行時には吹出口１５から吹き出される調和空気の影響を受けにくい位置に配置されている第２室温センサ８９ａを使用することができる。
【０１１０】
＜変形例＞
（Ａ）
上記実施形態では、受信部８１によって暖房運転の運転停止指令が制御信号として受信されると、クールダウン運転停止制御が行われている。
【０１１１】
これに代えて、暖房運転以外の空調運転の運転が停止された場合にも、クールダウン運転停止制御が行われてもよい。このように、各種空調運転の運転が停止された場合にクールダウン運転停止制御が行われることで、室内機内に残っている冷気および暖気を室内機ケーシング外に排出することができる。
【０１１２】
（Ｂ）
上記実施形態では、すべての空調運転の運転停止時に、取得センサが、第２室温センサ８９ａから第１室温センサ８９ｂに切り替えられている。これに代えて、特定の空調運転の運転停止時にのみ取得センサが切り替えられてもよい。
【０１１３】
例えば、選択部が、受信部によって暖房運転の運転停止指令が制御信号として受信されると第１室温センサを選択し、受信部によって暖房運転以外の運転停止指令が制御信号として受信されても室温センサの選択を行わない場合には、暖房運転の実行が停止された時のみ、取得センサが第２室温センサから第１室温センサに切り替えられる。
【０１１４】
また、上記実施形態では、すべての空調運転の運転開始時において、ファンの回転数に関する条件が満たされていると判断された場合に、取得センサが、第１室温センサ８９ｂから第２室温センサ８９ａに切り替えられている。これに代えて、特定の空調運転の実行停止後に空調運転の実行が開始される場合にのみファンの回転数に関する条件が満たされているか否かが判断されてもよい。
【０１１５】
例えば、選択部が、暖房運転の実行停止後に暖房運転を含む空調運転が実行される場合にのみ判断部による判断に基づいて取得センサを切り替え、暖房運転以外の運転の実行停止後に空調運転が実行される場合には受信部によって空調運転の運転開始指令が制御信号として受信されると同時に取得センサが切り替えられてもよい。具体的には、選択部は、受信部によって空調運転の運転開始指令が制御信号として受信された場合には、前記運転開始指令の制御信号が受信された時から遡って所定時間以内に暖房運転の運転停止指令の制御信号が受信されていたか否かを判定する。そして、選択部は、受信部において暖房運転の運転停止指令の制御信号が受信されていたと判定した場合には、判断部によってファンの回転数に関する条件が満たされていると判断されるまでは第１室温センサを選択し、判断部によってファンの回転数に関する条件が満たされていると判断された場合に第２室温センサを選択する。また、選択部は、受信部において暖房運転の運転停止指令の制御信号が受信されていなかった判定した場合には、判定すると同時に第２室温センサを選択する。
【０１１６】
このように、暖房運転が実行されたか否かに基づいて取得センサが切り替えられることで、室内機の熱籠もりの影響を受けやすい暖房運転時であっても、室内温度が誤って検出されるおそれを減らすことができる。
【０１１７】
（Ｃ）
上記実施形態では、室内温度を検出するために、第１室温センサ８９ｂおよび第２室温センサ８９ａの２つの室温センサが使用されている。これに代えて、室内温度を検出するための室温センサが３つ以上使用されていてもよい。
【産業上の利用可能性】
【０１１８】
本発明は、室内温度が誤って検出されるおそれを減らすことができるため、室内温度検出機能を備える空気調和機への適用が有効である。
【符号の説明】
【０１１９】
１０      室内機（空気調和機）
１２      室内機ケーシング（ケーシング）
１３      室内熱交換器（熱交換器）
１４      室内ファン（ファン）
１５      吹出口
１８      取込口
８３      選択部
８４      制御部
８７      判断部
８８      取得部
８９ａ    第２室温センサ（検出部／第２検出部）
８９ｂ    第１室温センサ（検出部／第１検出部）
【先行技術文献】
【特許文献】
【０１２０】
【特許文献１】特開２００１−５６１３１号公報
【図１】
2011080642.tif 000003
【図２】
2011080642.tif 000004
【図３】
2011080642.tif 000005
【図４】
2011080642.tif 000006
【図５】
2011080642.tif 000007
【図６】
2011080642.tif 000008
【図７】
2011080642.tif 000009
【図８】
2011080642.tif 000010
【図９】
2011080642.tif 000011
【図１０】
2011080642.tif 000012
【図１１】
2011080642.tif 000013
【図１２】
2011080642.tif 000014
【図１３】
2011080642.tif 000015
【図１４】
2011080642.tif 000016